(57)【要約】      （修正有）【課題】スマートフォンの使用中であっても画面および角を保護することができる保護部材を提供する。【解決手段】本考案は、スマートフォン２の少なくとも長手方向に沿う両側面を把持する把持部１０〜１３を有するケースに入れられたスマートフォン２の長手方向の両端部を覆うようにして把持部１０〜１３の上から装着される保護部材２０，２１であって、把持部１０〜１３をさらに把持する装着部２０ａ，２１ａと、画面２ａから所定の高さに画面２ａと平行になる面を有する画面保護部２０ｂ，２１ｂと、スマートフォン２の角またはスマートフォン２の角を覆う把持部１０〜１３の角を保護する角保護部２０ｃ，２１ｃと、を有するものである。【選択図】図４
0003208383.tif 000002
【実用新案登録請求の範囲】
【請求項１】
スマートフォンの少なくとも長手方向に沿う両側面を把持する把持部を有するケースに入れられた前記スマートフォンの長手方向の両端部を覆うようにして前記把持部の上から装着される保護部材であって、
前記把持部をさらに把持する装着部と、
前記画面から所定の高さに前記画面と平行になる面を有する画面保護部と、
前記スマートフォンの角または前記スマートフォンの角を覆う前記把持部の角を保護する角保護部と、
を有する、
ことを特徴とする保護部材。
【請求項２】
スマートフォンの少なくとも長手方向に沿う両側面を把持する把持部を有するケースに入れられた前記スマートフォンの長手方向の両端部を覆うようにして前記把持部の上から装着される保護部材であって、
前記把持部をさらに把持する装着部と、
前記画面から所定の高さに前記画面と平行になる面を有する画面保護部と、
前記スマートフォンの角または前記スマートフォンの角を覆う前記把持部の角を保護する角保護部と、
を有し、
前記ケースに入れられていないスマートフォンに対しては、前記把持部の厚みに相当する厚みを有し、所定の位置に貼付されるシール部材を有する、
ことを特徴とする保護部材。
【請求項３】
請求項１または２記載の保護部材において、
前記装着部と前記画面保護部との間の距離は、前記角保護部から遠ざかるに連れて漸減するように形成される、
ことを特徴とする保護部材。
【請求項４】
請求項１または２記載の保護部材において、
対向する双方の前記装着部の間の距離は、前記角保護部材から遠ざかるに連れて漸減するように形成される、
ことを特徴とする保護部材。
【考案の詳細な説明】
【技術分野】
【０００１】
本考案は、スマートフォンの保護部材に関する。
【背景技術】
【０００２】
スマートフォンは、大きな画面を有し、その画面に表示されたアイコンなどをユーザが指で触れるなどして操作が行われる。このようなスマートフォンは、筐体の汚損や破損を防ぐため、または、ユーザの好みのデザインとするなどの目的でケースに収納されて使用されることが多い。
【０００３】
スマートフォンが収納されるケースの一例としては、たとえば、特許文献１のように、スマートフォンの少なくとも長手方向に沿う両側面を把持する把持部を有するものがある。特許文献１の例では、同文献図２の支持基板や同文献図８の携帯電話支持台などが把持部に相当する。
【先行技術文献】
【特許文献】
【０００４】
【特許文献１】特許第５７２８０５３号
【考案の概要】
【考案が解決しようとする課題】
【０００５】
上述したようなスマートフォンが収納されるケースは、筐体の汚損や破損を防ぐ効果を有する。一方、スマートフォンの画面については、ユーザが指で操作を行う関係で、画面をケースで覆うことはできない。このため、スマートフォンを誤って落下させたり、物にぶつけたりして画面を破損する事故が多発している。
【０００６】
このような画面の破損事故を防ぐために、スマートフォンの不使用時に、画面を覆うカバー（特許文献１の図１、図２参照）を有するケースが市販されているが、このようなケースもスマートフォンの使用中には画面を保護することはできない。たとえば、ユーザがスマートフォンを使用中に、スマートフォンを誤って落下させたり、物にぶつけたりすれば、スマートフォンの不使用時に画面を覆うカバーは役に立たない。
【０００７】
また、スマートフォンは、角から落下させると角の小さい面積に大きな力が加わるため破損し易い。これは、ケースに入れられたスマートフォンの角を覆う把持部の角についても同様である。よって、スマートフォンの角またはスマートフォンの角を覆う把持部の角を保護することも有用である。
【０００８】
本考案は、このような背景の下に行われたものであって、スマートフォンの使用中であっても画面および角を保護することができるスマートフォンの保護部材を提供することを目的とする。
【課題を解決するための手段】
【０００９】
本考案は、スマートフォンの少なくとも長手方向に沿う両側面を把持する把持部を有するケースに入れられたスマートフォンの長手方向の両端部を覆うようにして把持部の上から装着される保護部材であって、把持部をさらに把持する装着部と、画面から所定の高さに画面と平行になる面を有する画面保護部と、スマートフォンの角またはスマートフォンの角を覆う把持部の角を保護する角保護部と、を有するものである。
【００１０】
または、本考案は、スマートフォンの少なくとも長手方向に沿う両側面を把持する把持部を有するケースに入れられたスマートフォンの長手方向の両端部を覆うようにして把持部の上から装着される保護部材であって、把持部をさらに把持する装着部と、画面から所定の高さに画面と平行になる面を有する画面保護部と、スマートフォンの角またはスマートフォンの角を覆う把持部の角を保護する角保護部と、を有し、ケースに入れられていないスマートフォンに対しては、把持部の厚みに相当する厚みを有し、所定の位置に貼付されるシール部材を有するものである。
【００１１】
上述の保護部材において、装着部と画面保護部との間の距離は、角保護部から遠ざかるに連れて漸減するように形成されるようにしてもよい。
【００１２】
上述の保護部材において、対向する双方の装着部の間の距離は、角保護部材から遠ざかるに連れて漸減するように形成されるようにしてもよい。
【考案の効果】
【００１３】
本考案によれば、スマートフォンの使用中であっても画面および角を保護することができる。
【図面の簡単な説明】
【００１４】
【図１】ケースにスマートフォンを収納する方法を説明するための図である。
【図２】ケースに収納されたスマートフォンを示す図である。
【図３】カバーによって、スマートフォンの不使用時にスマートフォンの画面が保護されている状態を示す図である。
【図４】ケースに収納されたスマートフォンに対し、保護部材を装着する方法を説明するための図である。
【図５】保護部材がケースの把持部に装着された状態を示す図である。
【図６】ケースに収納されたスマートフォンに対し、図４とは異なる方法で保護部材を装着する方法を示す図である。
【図７】ケースに収納されたスマートフォンに対し、保護部材が装着された状態を側面から見た図である。
【図８】図７の状態における保護部材の効果を説明するための図である。
【図９】シール部材の構成を説明するための図である。
【図１０】ケースに収納されていないスマートフォンに対し、保護部材を装着する方法を説明するための図である。
【図１１】ケースに収納されていないスマートフォンに対し、図１０とは異なる方法で、保護部材を装着する方法を説明するための図である。
【図１２】ケースに収納されていないスマートフォンに対し、図１０および図１１とは異なる方法で、保護部材を装着する方法を説明するための図である。
【図１３】ケースに収納されていないスマートフォンに対し、図１０〜図１２とは異なる方法で、保護部材を装着する方法を説明するための図である。
【図１４】その他の実施の形態に係る保護部材を示す図である。
【図１５】図１４の保護部材を側面から見た状態を示す図である。
【図１６】図１４の保護部材を反対側から見た状態を示す図である。
【図１７】図１４とは異なるその他の実施の形態に係る保護部材を示す図である。
【図１８】図１７の保護部材を側面から見た状態を示す図である。
【図１９】図１７の保護部材を反対側から見た状態を示す図である。
【図２０】図１４、図１７とは異なるその他の実施の形態に係る保護部材を示す図である。
【図２１】図１４、図１７、図２０とは異なるその他の実施の形態に係る保護部材を示す図である。
【考案を実施するための形態】
【００１５】
本考案の保護部材を説明するのに先立って、スマートフォンを収納するケースと、ケースにスマートフォンを収容する方法と、ケースに収納された状態のスマートフォンと、について説明する。
【００１６】
ケース１は、図１に示すように、スマートフォン２の少なくとも長手方向に沿う両側面を把持する把持部１０〜１３を有する。把持部１０〜１３は、基板１４の外周に形成されている。基板１４には、スマートフォン２のカメラのレンズの視界を妨げないための孔１５が開けられている。基板１４は、カバー１６に接着されている。スマートフォン２を基板１４に対してほぼ平行な状態で押圧すると、図２に示すように、把持部１０〜１３がスマートフォン２の長手方向の側面を把持し、スマートフォン２がケース１に収納される。
【００１７】
カバー１６は、図３に示すように、基板１４側へ折り曲げることができる。これにより、スマートフォン２の不使用時には、スマートフォン２の画面２ａは、カバー１６によって保護される。
【００１８】
（本考案の実施の形態に係る保護部材２０，２１について）
本考案の実施の形態に係る保護部材２０，２１は、図４に示すようにスマートフォンの少なくとも長手方向に沿う両側面を把持する把持部１０〜１３を有するケース１に入れられたスマートフォン２の長手方向の両端部を覆うようにして把持部１０〜１３の上から装着される。
【００１９】
保護部材２０，２１は、把持部１０〜１３をさらに把持する装着部２０ａ，２１ａと、スマートフォン２の画面２ａから所定の高さに画面２ａと平行になる面を有する画面保護部２０ｂ，２１ｂと、スマートフォン２の角またはスマートフォン２の角を覆う把持部１０〜１３の角を保護する角保護部２０ｃ、２１ｃと、を有する。図４の例では、スマートフォン２の長手方向の両端部にある把持部１０〜１３に対し、スマートフォン２の長手方向に沿って、保護部材２０，２１の装着部２０ａ，２１ａを滑り込ませるようにして嵌合させる。
【００２０】
把持部１０〜１３と保護部材２０，２１とが嵌合している状態を図５に示す。図５は、スマートフォン２の長手方向に沿う方向から把持部１０〜１３と保護部材２０，２１との嵌合状態を見ている。保護部材２０，２１のスマートフォン２への装着方法としては、図６に示すように、保護部材２０，２１をスマートフォン２の画面２ａにほぼ平行な位置から把持部１０〜１３に対し、押圧して装着してもよい。なお、保護部材２０，２１がスマートフォン２のマイク、スピーカ、レンズ、押しボタンスイッチ、および充電プラグの差し込み孔などを覆う場合には、これらに対応する部分に対し、予め孔が開けられているものとする。
【００２１】
以上説明したようにして、保護部材２０，２１が把持部１０〜１３の上に装着された状態を図７に示す。図７は、ケース１に収納されたスマートフォン２を、スマートフォン２の長手方向に沿う側面から見た状態を示している。保護部材２０，２１は、スマートフォン２の画面２ａから所定の高さｄに画面２ａと平行になる面である画面保護部２０ｂ，２１ｂを有する。これにより、図８に示すように、使用中のスマートフォン２を誤って床Ｆに落下させても、保護部材２０，２１の画面保護部２０ｂ，２１ｂによって、画面２ａと床Ｆとの間が距離ｄだけ離れる。このようにして、画面２ａが直接的に床Ｆと接触することなく、画面２ａの破損を防ぐことができる。特に、図７などに示すように、スマートフォン２の画面２ａは、把持部１０〜１３の上辺よりもさらに上に突出しているので、保護部材２０，２１による画面の保護の効果は大きいものである。なお、距離ｄは、たとえば、０．３ミリメートルから１．０ミリメートル程度の距離でよい。
【００２２】
その他に、スマートフォン２が角の部分から落下したときには、スマートフォン２の角の部分に対応する把持部１０〜１３の上に、角保護部２０ｃ，２１ｃが被さっているため、スマートフォン２および把持部１０〜１３の角の破損を防ぐことができる。
【００２３】
（その他の実施の形態について）
本考案の実施の形態は、その要旨を逸脱しない限りにおいて、様々に変更が可能である。たとえば、スマートフォン２をケース１に収納することなく使用する場合であっても保護部材２０，２１を使用したいというユーザに対し、以下で説明するようなシール部材３０〜３３を用いてもよい。
【００２４】
シール部材３０は、図９に示すように、シール部材本体３０ａと接着部３０ｂとで構成される。シール部材本体３０ａは、ケース１の把持部３０の厚みとほぼ同じ厚みを有する。接着部３０ｂは、接着剤で形成され、シール部材本体３０ａと保護部材２０，２１の内面とを接着する。他のシール部材３１〜３３についても同様の構成である。このようなシール部材３０〜３３を保護部材２０，２１の内面のケース１の把持部１０〜１３に当接する位置に貼り付けることにより、把持部１０〜１３の有する厚みと同じ厚みを保護部材２０，２１の内面に与えることができる。このようなシール部材３０〜３３によって、ケース１に収納されていないスマートフォン２に対しても保護部材２０，２１を装着することができる。図１０は、シール３０〜３３が内面に貼付された保護部材２０，２１をスマートフォン２の長手方向に沿う両端部から嵌め込む状態を示している。図１１は、シール３０〜３３が内面に貼付された保護部材２０，２１をスマートフォン２の画面２ａにほぼ平行な位置から嵌め込む状態を示している。
【００２５】
または、シール部材３０ａ〜３３ａをスマートフォン２の長手方向に沿う側面の所定の位置に貼り付けることにより、把持部１０〜１３の有する厚みと同じ厚みをスマートフォン２の長手方向の側面の所定の位置に与えることができる。このようなシール部材３０ａ〜３３ａによって、ケース１に収納されていないスマートフォン２に対しても保護部材２０，２１を装着することができる。図１２は、シール３０ａ〜３３ａが貼付されたスマートフォン２の長手方向に沿う両端部から保護部材２０，２１を嵌め込む状態を示している。図１３は、シール３０ａ〜３３ａが貼付されたスマートフォン２の画面２ａにほぼ平行な位置から保護部材２０，２１を嵌め込む状態を示している。
【００２６】
このように、スマートフォン２をケース１に収容せずに使用する場合でも保護部材２０，２１をスマートフォン２に装着することができる。これにより、スマートフォン２をケース１に収納しない状態で使用中に、誤ってスマートフォン２を落下させたときに、スマートフォン２の画面２ａの破損を防ぐことができる。
【００２７】
また、図１４〜図１６に示すように、保護部材２０の長手方向の一端を閉鎖して保護部材２０ｄのような構成としてもよい。同様に、図１７〜図１９に示すように、保護部材２１の長手方向の一端を閉鎖して保護部材２１ｄのような構成としてもよい。これによれば、保護部材２０ｄ，２１ｄにより被覆されて保護されるスマートフォン２の表面積をさらに増やすことができる。なお、保護部材２１ｄでは、予め充電プラグの差し込み孔に対応する部分に孔２１ｅを設けてある。
【００２８】
また、上述した保護部材２０，２１のように、スマートフォン２の把持部１０〜１３の上に装着するのではなく、画面２ａから所定の高さに画面２ａと平行になる面を有するように、スマートフォン２のボディに板状の保護部材２０，２１ｆ（図示省略）を粘着剤によって貼り付けるようにしてもよい。
【００２９】
また、図２０は、保護部材２０ｆを長手方向から見た図であるが、装着部２０ａと画面保護部２０ｂとの間の距離は、角保護部２０ｃから遠ざかるに連れて漸減するように形成されている。すなわち、保護部材２０ｆの角保護部２０ｃから最も遠い位置における装着部２０ａと画面保護部２０ｂとの間の距離ｄ１は、角保護部２０ｃ付近の装着部２０ａと画面保護部２０ｂとの間の距離ｄ２よりも短い。これによれば、保護部材２０ｆをスマートフォン２に装着したときに、スマートフォン２の画面２ａに向かう側の装着部２０ａがスマートフォン２の長手方向端部付近の装着部２０ａよりもより強固に把持部１０，１３を押圧して把持することができる。このように、装着部２０ａにおいて、他の部分よりもさらに強固に把持部１０，１３を押圧する部分をピンポイント的に設けることにより、保護部材２０ｆが抜け落ちることを防ぐことができる。
【００３０】
また、図２１は、保護部材２０ｇを画面保護部２０ｂの面に直交する方向から見た図であるが、対向する双方の装着部２０ａの間の距離は、角保護部材２０ｃから遠ざかるに連れて漸減するように形成されている。すなわち、保護部材２０ｇの角保護部２０ｃから最も遠い位置における対向する双方の装着部２０ａの間の距離ｄ３は、角保護部２０ｃ付近の対向する双方の装着部２０ａの間の距離ｄ４よりも短い。これによれば、保護部材２０ｇをスマートフォン２に装着したときに、スマートフォン２の画面２ａに向かう側の装着部２０ａがスマートフォン２の長手方向端部付近の装着部２０ａよりもより強固に把持部１０，１３を押圧して把持することができる。このように、装着部２０ａにおいて、他の部分よりもさらに強固に把持部１０，１３を押圧する部分をピンポイント的に設けることにより、保護部材２０ｇが抜け落ちることを防ぐことができる。
【００３１】
上述した保護部材２０ｆ，２０ｇにおける装着部２０ａと画面保護部２０ｂとの間の関係や対向する双方の装着部２０ａの間の関係は、上述した実施の形態における保護部材２０ｄ，２１ｄにおける装着部２０ａと画面保護部２０ｂとの間の関係や対向する双方の装着部２０ａの間の関係についても適用することができる。
【符号の説明】
【００３２】
１…ケース、２…スマートフォン、１０〜１３…把持部、２０，２０ｄ，２０ｆ，２０ｇ，２１，２１ｄ，２０ｆ，２０ｇ…画面保護部材、２０ａ，２１ａ…装着部、２０ｂ，２１ｂ…画面保護部、２０ｃ，２１ｃ…角保護部、３０〜３３，３０ａ〜３３ａ…シール部材
【図１】
0003208383.tif 000003
【図２】
0003208383.tif 000004
【図３】
0003208383.tif 000005
【図４】
0003208383.tif 000006
【図５】
0003208383.tif 000007
【図６】
0003208383.tif 000008
【図７】
0003208383.tif 000009
【図８】
0003208383.tif 000010
【図９】
0003208383.tif 000011
【図１０】
0003208383.tif 000012
【図１１】
0003208383.tif 000013
【図１２】
0003208383.tif 000014
【図１３】
0003208383.tif 000015
【図１４】
0003208383.tif 000016
【図１５】
0003208383.tif 000017
【図１６】
0003208383.tif 000018
【図１７】
0003208383.tif 000019
【図１８】
0003208383.tif 000020
【図１９】
0003208383.tif 000021
【図２０】
0003208383.tif 000022
【図２１】
0003208383.tif 000023